(57)【要約】【課題】検出用電極に発生するノイズの影響を簡易な構成のもとで抑制する。【解決手段】第１基板１０と第２基板２０との間隙に液晶３０が封止される。第１基板１０を挟んで液晶３０とは反対側の表面には、静電容量の変化に応じて接触を検出するための検出用電極１６が形成される。画素回路Ｐは、画素電極２２と対向電極１４と両者間の液晶３０とを含む液晶容量ＣLと、第１電極ｅ1と画素電極２２に接続された第２電極ｅ2とを含む蓄積容量ＣSとを有する。画素電極２２と信号線４５とは、選択期間Ｈにて電気的に接続され、選択期間Ｈの経過後に絶縁される。正極性書込または負極性書込に対応した電位ＶDが選択期間Ｈにて信号線４５に供給される。正極性書込を実行した選択期間Ｈの経過後に第１電極ｅ1の電位は上昇し、負極性書込を実行した選択期間Ｈの経過後に第１電極ｅ1の電位は低下する。【選択図】図４
2010107990.tif 000002
【特許請求の範囲】
【請求項１】
相対向する第１基板と第２基板との間隙に液晶が封止され、前記第１基板を挟んで前記液晶とは反対側に、静電容量の変化に応じて接触を検出するための検出用電極が形成された液晶装置であって、
画素電極と対向電極と両電極間の前記液晶とを含む液晶容量と、
第１電極と前記画素電極に接続された第２電極とを含む蓄積容量と、
前記画素電極と信号線との間に介在するスイッチング素子と、
選択期間にて前記スイッチング素子を導通させるとともに前記選択期間の経過後に前記スイッチング素子を非導通とする選択回路と、
正極性書込または負極性書込に対応したデータ電位を前記選択期間にて前記信号線に供給する信号供給回路と、
前記正極性書込に対応したデータ電位が前記信号線に供給された選択期間の経過後に前記第１電極の電位を高位側に変化させ、前記負極性書込に対応したデータ電位が前記信号線に供給された選択期間の経過後に前記第１電極の電位を低位側に変化させる電位制御回路と
を具備する液晶装置。
【請求項２】
前記検出用電極は、前記第１基板のうち前記液晶とは反対側の表面に形成される
請求項１に記載の液晶装置。
【請求項３】
前記画素電極は、前記第２基板のうち前記第１基板に対向する表面上に形成され、
前記対向電極は、前記画素電極と前記第１基板との間に形成されて定電位に維持される
請求項１または請求項２に記載の液晶装置。
【請求項４】
請求項１から請求項３の何れかに記載の液晶装置を具備する電子機器。
【請求項５】
相対向する第１基板および第２基板と、前記第１基板と前記第２基板との間隙に封止された液晶と、画素電極と対向電極と両電極間の前記液晶とを含む液晶容量と、第１電極と前記画素電極に接続された第２電極とを含む蓄積容量とを具備し、前記第１基板を挟んで前記液晶とは反対側に、静電容量の変化に応じて接触を検出するための検出用電極が形成された液晶装置を駆動する方法であって、
前記画素電極と信号線とを選択期間にて接続するとともに前記選択期間の経過後に絶縁し、
正極性書込または負極性書込に対応したデータ電位を前記選択期間にて前記信号線に供給し、
前記正極性書込に対応したデータ電位が前記信号線に供給された選択期間の経過後に前記第１電極の電位を高位側に変化させ、前記負極性書込に対応したデータ電位が前記信号線に供給された選択期間の経過後に前記第１電極の電位を低位側に変化させる
液晶装置の駆動方法。
【発明の詳細な説明】
【技術分野】
【０００１】
本発明は、静電容量の変化に応じて指やペンの接触を検出するための電極（以下「検出用電極」という）が形成された液晶装置を駆動する技術に関する。
【背景技術】
【０００２】
静電容量方式のタッチパネルを搭載した液晶装置が従来から提案されている。検出用電極は液晶装置に近接して配置されるから、検出用電極と液晶装置内の要素（例えば電極や配線）との間には容量が付随する。したがって、液晶装置において画像の表示に利用される信号の変動に起因して検出用電極にノイズが発生するという問題がある。特許文献１には、対向電極の電位の変動に起因したノイズを、検出用電極の静電容量の変化に応じた検出信号から除去する技術が開示されている。
【特許文献１】特開２００６−１４６８９５号公報
【発明の開示】
【発明が解決しようとする課題】
【０００３】
しかし、特許文献１の技術においては、検出信号からノイズを除去するための複雑な回路が必要であるから、回路規模が肥大化するとともに製造コストが増大するといった問題がある。以上の事情に鑑みて、本発明は、検出用電極に発生するノイズの影響を簡易な構成のもとで抑制するという課題の解決をひとつの目的としている。
【課題を解決するための手段】
【０００４】
以上の課題を解決するために、本発明に係る液晶装置は、相対向する第１基板と第２基板との間隙に液晶が封止され、第１基板を挟んで液晶とは反対側に、静電容量の変化に応じて接触を検出するための検出用電極が形成された液晶装置であって、画素電極と対向電極と両電極間の液晶とを含む液晶容量と、第１電極と画素電極に接続された第２電極とを含む蓄積容量と、画素電極と信号線との間に介在するスイッチング素子と、選択期間にてスイッチング素子を導通させるとともに選択期間の経過後にスイッチング素子を非導通とする選択回路と、正極性書込または負極性書込に対応したデータ電位（例えば図４の電位ＶDPや電位ＶDN）を選択期間にて信号線に供給する信号供給回路と、正極性書込に対応したデータ電位が信号線に供給された選択期間の経過後に第１電極の電位を高位側に変化させ、負極性書込に対応したデータ電位が信号線に供給された選択期間の経過後に第１電極の電位を低位側に変化させる電位制御回路とを具備する。
【０００５】
以上の構成においては、画素電極の電位が、選択期間の経過後に第１電極の電位に応じてデータ電位を変化させた電位に設定されるから、第１電極の電位が固定された構成と比較して、データ電位に必要となる変動幅が低減される。したがって、データ電位の変動に起因して検出用電極に発生するノイズを抑制することができる。本発明に係る液晶装置は、パーソナルコンピュータや携帯電話機といった各種の電子機器に採用される。
【０００６】
本発明の好適な態様において、検出用電極は、第１基板のうち液晶とは反対側の表面に形成される。本態様によれば、データ電位の変動に起因した検出用電極のノイズを抑制しながら、検出用電極が第１基板とは別個の基板に形成された構成と比較して液晶装置の構成が簡素化される。
【０００７】
本発明の好適な態様において、画素電極は、第２基板のうち第１基板に対向する表面上に形成され、対向電極は、画素電極と第１基板との間に形成されて定電位に維持される。
以上の態様においては、画素電極の電位を設定する信号（例えば選択信号Ｙ[i]やデータ信号Ｘ[j]）による検出用電極への影響を抑制するためのシールドとして対向電極が機能するから、検出用電極のノイズをさらに有効に抑制できる。なお、対向電極は第１電極および第２電極の何れに形成されてもよい。
【０００８】
本発明は、相対向する第１基板および第２基板と、第１基板と第２基板との間隙に封止された液晶と、画素電極と対向電極と両電極間の液晶とを含む液晶容量と、第１電極と画素電極に接続された第２電極とを含む蓄積容量とを具備し、第１基板を挟んで液晶とは反対側に、静電容量の変化に応じて接触を検出するための検出用電極が形成された液晶装置を駆動する方法としても特定される。本発明に係る駆動方法においては、画素電極と信号線とを選択期間にて接続するとともに選択期間の経過後に絶縁し、正極性書込または負極性書込に対応したデータ電位を選択期間にて信号線に供給し、正極性書込に対応したデータ電位が信号線に供給された選択期間の経過後に第１電極の電位を高位側に変化させ、負極性書込に対応したデータ電位が信号線に供給された選択期間の経過後に第１電極の電位を低位側に変化させる。以上の駆動方法によれば、本発明に係る液晶装置と同様の作用および効果が奏される。
【発明を実施するための最良の形態】
【０００９】
＜Ａ：液晶装置＞
図１は、本発明のひとつの形態に係る液晶装置の構成を示す断面図である。液晶装置１００は、液晶の光学的な作用によって画像を表示する機能と、指やペンが接触または接近した部分（以下「接触部」という）の位置を静電容量の変化に応じて検出する機能とを備えた静電容量式タッチパネル付き液晶表示装置である。
【００１０】
液晶装置１００は、相対向する光透過性の第１基板１０および第２基板２０と、両基板の間隙に封止された液晶３０とを具備する。第２基板２０のうち第１基板１０に対向する表面には複数の画素電極２２が相互に離間して形成される。複数の画素電極２２は、第２基板２０の表面上で行列状に配列する。図１の駆動回路５０は、各画素電極２２の電位を制御することで液晶３０の配向を画素電極２２ごとに変化させる。
【００１１】
第１基板１０のうち第２基板２０に対向する表面には、各画素電極２２に対向する複数の着色層１２と、第１基板１０の全体にわたって連続する光透過性の対向電極１４とが形成される。各着色層１２は、液晶３０から第１基板１０側に進行する光のうち複数色（赤色，緑色，青色）の何れかに対応した波長の成分を選択的に透過させる。対向電極１４は、液晶３０を挟んで複数の画素電極２２に対向する。なお、図１においては、配向膜やシール材の図示が適宜に省略されている。
【００１２】
第１基板１０のうち液晶３０とは反対側（外側）の表面には検出用電極１６が形成される。検出用電極１６は、静電容量の変化に応じて接触を検出するための光透過性の導電膜である。本形態の検出用電極１６は、第１基板１０の全域にわたって連続に分布する。
【００１３】
図１の検出回路６０は、検出用電極１６から電気信号（以下「検出信号」という）ＳDを検出するとともに検出信号ＳDに基づいて接触部の位置を特定する。例えば、検出回路６０は、検出用電極１６の複数の端子（例えば四隅）に対して共通の交流電圧を印加したときに各端子から接触部に流れる電流を検出信号ＳDとして検出し、各検出信号ＳDの電流値に基づいて接触部の位置を特定する。ただし、検出用電極１６の形態は任意である。例えば、複数の検出用電極１６が行列状に配列された構成も採用される。検出回路６０は、各行および各列の検出用電極１６から取得した検出信号ＳDに基づいて接触部の位置を特定する。
【００１４】
検出用電極１６の面上には偏光板１８が貼着される。同様に、第２基板２０のうち液晶３０とは反対側の表面上には偏光板２４が貼着される。液晶装置１００の背面側（第２基板２０からみて液晶３０とは反対側）には照明装置３５が設置される。照明装置３５からの出射光が、第２基板２０と液晶３０と対向電極１４と着色層１２と第１基板１０と検出用電極１６とを以上の順番に通過して観察側に出射することで画像が表示される。
【００１５】
図２は、液晶装置１００のうち画像を表示するための要素の電気的な構成を示すブロック図である。第２基板２０には、図２に示すように、Ｘ方向に延在するｍ本の選択線４１と、各選択線４１に対をなしてＸ方向に延在するｍ本の容量線４３と、Ｘ方向に直交するＹ方向に延在するｎ本の信号線４５とが形成される（ｍおよびｎの各々は自然数）。選択線４１と信号線４５との各交差に対応した位置には画素回路Ｐが配置される。したがって、画素回路Ｐは、Ｘ方向およびＹ方向にわたって縦ｍ行×横ｎ列の行列状に配列する。
【００１６】
図３は、画素回路Ｐの構成を示す回路図である。同図においては、第ｉ行（ｉ＝１〜ｍ）に属する第ｊ列目（ｊ＝１〜ｎ）のひとつの画素回路Ｐのみが代表的に図示されている。図３に示すように、画素回路Ｐは、液晶容量ＣLと蓄積容量ＣSとスイッチング素子ＳＷとを含む。液晶容量ＣLは、画素電極２２と対向電極１４と両電極間に挟持された液晶３０とで構成される容量である。対向電極１４の電位は、電源回路（図示略）から供給される電位（固定電位）ＬＣCOMに維持される。
【００１７】
蓄積容量ＣSは、第１電極ｅ1と第２電極ｅ2とを含む。第２電極ｅ2は、液晶容量ＣLの画素電極２２に電気的に接続される。第ｉ行に属する各画素回路Ｐの第１電極ｅ1は、第ｉ行の容量線４３に対して共通に接続される。
【００１８】
第ｊ列に属する各画素回路Ｐのスイッチング素子ＳＷは、画素電極２２と第ｊ列目の信号線４５との間に介在して両者の電気的な接続（導通／非導通）を制御するｎチャネル型の薄膜トランジスタである。第ｉ行に属する各画素回路Ｐにおけるスイッチング素子ＳＷのゲートは、第ｉ行の選択線４１に対して共通に接続される。
【００１９】
図２に示すように、駆動回路５０は、選択回路５１と電位制御回路５３と信号供給回路５５とを具備する。なお、駆動回路５０は、ひとつの集積回路で構成されてもよいし複数の集積回路で構成されてもよい。また、画素回路Ｐのスイッチング素子ＳＷとともに第２基板２０の表面に形成されたスイッチング素子（薄膜トランジスタ）によって駆動回路５０が構成されてもよい。
【００２０】
図４は、液晶装置１００の動作を説明するためのタイミングチャートである。選択回路５１は、ｍ本の選択線４１の各々（各行の画素回路Ｐ）を順番に選択するための選択信号Ｙ[1]〜Ｙ[m]を生成して各選択線４１に出力する。図４に示すように、第ｉ行の選択線４１に供給される選択信号Ｙ[i]は、ひとつのフレーム期間Ｆのうち第ｉ番目の選択期間（水平走査期間）Ｈにてアクティブレベル（ハイレベル）となり、選択期間Ｈ以外の期間にてローレベルを維持する。したがって、第ｉ行の各画素回路Ｐのスイッチング素子ＳＷは、フレーム期間Ｆの第ｉ番目の選択期間Ｈにて導通し、当該選択期間Ｈが経過すると非導通の状態に遷移する。
【００２１】
図２の信号供給回路５５は、各画素回路Ｐの階調を指定するデータ信号Ｘ[1]〜Ｘ[n]を生成して各信号線４５に出力する。第ｊ列目の信号線４５に供給されるデータ信号Ｘ[j]は、選択信号Ｙ[i]がハイレベルとなる選択期間Ｈにおいて、第ｉ行に属する第ｊ列目の画素回路Ｐに指定された階調に応じた電位ＶD（ＶDPまたはＶDN）となる。
【００２２】
液晶装置１００は、液晶容量ＣLに印加される電圧の極性がフレーム期間Ｆごとに反転するフレーム反転駆動を採用する。データ信号Ｘ[j]は、液晶容量ＣLに対して正極性の電圧の印加（以下「正極性書込」という）が実行されるフレーム期間Ｆの各選択期間Ｈにて電位ＶDPに設定され、負極性の電圧の印加（以下「負極性書込」という）が実行されるフレーム期間Ｆの各選択期間Ｈにて電位ＶDNに設定される。
【００２３】
電位制御回路５３は、各画素回路Ｐの液晶容量ＣLに印加される電圧を確定するための制御信号Ｓ[1]〜Ｓ[m]を生成して各容量線４３に出力する。第ｉ行目の容量線４３（第ｉ行目の各画素回路Ｐにおける第１電極ｅ1）に供給される制御信号Ｓ[i]の電位は、図４に示すように、選択信号Ｙ[i]がハイレベルとなる選択期間Ｈの経過後に電位ＶHおよび電位ＶLの一方から他方に変化する。電位ＶHは電位ＶLよりも高い電位である。図４に示すように、制御信号Ｓ[i]は、正極性書込が実行されるフレーム期間Ｆの第ｉ番目の選択期間Ｈの経過後に電位ＶLから電位ＶHに上昇し、負極性書込が実行されるフレーム期間Ｆの第ｉ番目の選択期間Ｈの経過後に電位ＶHから電位ＶLに低下する。
【００２４】
次に、第ｉ行に属する第ｊ列目の画素回路Ｐの動作を説明する。選択期間Ｈにて選択信号Ｙ[i]がハイレベルに遷移すると、スイッチング素子ＳＷが導通して画素電極２２と信号線４５とが電気的に接続される。したがって、画素電極２２および第２電極ｅ2の電位ＶPIXは、図４に示すように、正極性書込が実行されるフレーム期間Ｆの選択期間Ｈにてデータ信号Ｘ[j]の電位ＶDPに設定され、負極性書込が実行されるフレーム期間Ｆの選択期間Ｈにてデータ信号Ｘ[j]の電位ＶDNに設定される。
【００２５】
選択期間Ｈの経過に伴って選択信号Ｙ[i]がローレベルに遷移すると、スイッチング素子ＳＷが非導通の状態に変化して画素電極２２と第２電極ｅ2とは電気的なフローティング状態となる。したがって、第１電極ｅ1に供給される制御信号Ｓ[i]の電位が選択期間Ｈの経過後に変化すると、画素電極２２および第２電極ｅ2の電位ＶPIXは、選択期間Ｈにて設定された電位ＶD（ＶDP，ＶDN）から、第１電極ｅ1の電位の変化量ΔＶ（ΔＶ＝ＶH−ＶL）に応じて変動する。
【００２６】
すなわち、正極性書込が実行された選択期間Ｈの経過後に制御信号Ｓ[i]は電位ＶLから電位ＶHに上昇するから、電位ＶPIXは、直前の選択期間Ｈで設定された電位ＶDPから変化量ｋ・ΔＶだけ上昇する。また、負極性書込が実行された選択期間Ｈの経過後に制御信号Ｓ[i]は電位ＶHから電位ＶLに低下するから、電位ＶPIXは、直前の電位ＶDNから変化量ｋ・ΔＶだけ低下する。係数ｋは、液晶容量ＣLの容量値ｃLと蓄積容量ＣSの容量値ｃSとに応じた数値（ｋ＝ｃS／(ｃS＋ｃL)）である。画素電極２２の電位ＶPIXは、次に選択信号Ｙ[i]がハイレベルとなる時点まで、制御信号Ｓ[i]に応じた変動後の電位（ＶD±ｋ・ΔＶ）に維持される。
【００２７】
選択期間Ｈにおけるデータ信号Ｘ[j]の電位ＶDは、制御信号Ｓ[i]の変動に応じた変化後の電位ＶPIX（液晶容量ＣLに印加される電圧）が、画素回路Ｐに指定された階調に応じた電位となるように設定される。例えば、液晶容量ＣLの電圧が低下するほど階調（透過率）が低下するノーマリーブラック型を想定すると、画素回路Ｐに黒色の階調が指定された場合（図４の下段）には、選択期間Ｈ後に変化した電位ＶPIXが対向電極１４の電位ＬＣCOMと略一致するように、データ信号Ｘ[j]の電位ＶDは設定される。
【００２８】
以上の形態においては、画素電極２２の電位ＶPIXが、制御信号Ｓ[i]に応じてデータ信号Ｘ[j]の電位ＶDを変化させた電位に設定されるから、第１電極ｅ1の電位が固定された構成と比較して、画素電極２２の電位ＶPIXを所定の範囲にわたって制御するために必要となるデータ信号Ｘ[j]の振幅が抑制される。したがって、検出信号ＳDからノイズを除去するといった特許文献１のような特別な回路や、検出用電極１６に対する電位ＶPIXの変動の影響を抑制するためのシールドを要することなく、データ信号Ｘ[j]の変動を原因として検出用電極１６に発生するノイズを低減する（さらには接触部の位置を高精度に特定する）ことが可能である。
【００２９】
また、本形態においては、検出用電極１６が第１基板１０の表面に形成される。したがって、第１基板１０とは別個の基板に検出用電極１６を貼着したうえで当該基板を第１基板１０に固定する構成（以下「対比例１」という）と比較して、液晶装置１００の部品数の削減や薄型化が実現される。また、検出用電極１６の貼着に専用される基板が省略される分だけ照明装置３５からの出射光の利用効率が向上するという利点もある。なお、本形態においてはデータ信号Ｘ[j]の振幅の抑制によって検出用電極１６のノイズが抑制されるから、検出用電極１６が第１基板１０に直接的に形成されることで検出用電極１６が対比例１と比較して画素電極２２に近接する構成（すなわちＶPIXの変動に応じたノイズが検出用電極１６に発生し易い構成）にも拘わらず、検出用電極１６のノイズを充分に抑制することが可能である。すなわち、データ信号Ｘ[j]の振幅が抑制されるという本発明の効果は、検出用電極１６が第１基板１０に直接的に形成された構成にとって格別に有効であると言える。
【００３０】
＜Ｂ：変形例＞
以上の各形態には様々な変形を加えることができる。具体的な変形の態様を例示すれば以下の通りである。なお、以下の各態様を適宜に組み合わせてもよい。
【００３１】
（１）変形例１  
以上の形態においては対向電極１４の電位ＬＣCOMが固定された構成を例示したが、正極性書込と負極性書込との切替に同期して電位ＬＣCOMが変動する構成も採用される。この構成においても、選択期間Ｈの経過後に制御信号Ｓ[i]に応じて電位ＶPIXを変動させることで、データ信号Ｘ[j]の変動に起因した検出用電極１６のノイズが抑制されるという効果は確かに奏される。ただし、電位ＬＣCOMの変動に起因したノイズが検出用電極１６に発生し得るから、検出用電極１６のノイズを有効に低減するという観点からすると、実施形態のように電位ＬＣCOMを固定した構成が好適である。
【００３２】
（２）変形例２  
以上の形態においては正極性書込と負極性書込とがフレーム期間Ｆごとに交互に実行されるフレーム反転駆動を例示したが、正極性書込と負極性書込との切替の周期はフレーム期間Ｆに限定されない。例えば、正極性書込と負極性書込とが選択期間Ｈごと（行単位）に交互に実行されるライン反転駆動や、Ｘ方向およびＹ方向に隣接する画素回路Ｐごとに正極性書込と負極性書込とが交互に実行されるドット反転駆動も採用される。また、複数のフレーム期間Ｆを単位として正極性書込と負極性書込とを切替えてもよい。
【００３３】
（３）変形例３  
以上の形態においては対向電極１４が第１基板１０に形成された構成を例示したが、対向電極１４が画素電極２２とともに第２基板２０に形成されたＦＦＳ（Fringe Field Switching）方式やＩＰＳ（In-Plane Switching）方式の液晶装置にも本発明は適用される。したがって、画素電極２２を挟んで検出用電極１６とは反対側に対向電極１４が形成された構成も本発明においては採用され得る。ただし、図１のように画素電極２２と検出用電極１６との間に対向電極１４が介在する構成（さらには対向電極１４の電位ＬＣCOMが固定された構成）においては、検出用電極１６に対する選択信号Ｙ[i]やデータ信号Ｘ[j]の変動の影響を抑制するためのシールドとして対向電極１４が機能するから、対向電極１４と検出用電極１６との間に画素電極２２が介在する構成と比較して検出用電極１６のノイズを有効に抑制できるという利点がある。
【００３４】
（４）変形例４  
液晶３０の配向モードは任意である。例えば、ＴＮ（Twisted Nematic）型やＶＡ（Vertical Alignment）型やＥＣＢ（Electrically Controlled Birefringence）型など各種の液晶３０を利用した液晶装置１００に本発明は適用される。また、以上の形態においては複数の画素電極２２が行列状に配列された構成を例示したが、画素電極２２の形状や配列は任意である。例えば、利用者が操作する箇所を示す操作子の画像に対応するように画素電極２２の形状や個数や配列を選定してもよい。
【００３５】
＜Ｃ：応用例＞
次に、本発明に係る液晶装置を利用した電子機器について説明する。図５ないし図７には、以上に説明した何れかの形態に係る液晶装置１００を表示装置として採用した電子機器の形態が図示されている。
【００３６】
図５は、液晶装置１００を採用したモバイル型のパーソナルコンピュータの構成を示す斜視図である。パーソナルコンピュータ２０００は、各種の画像を表示する液晶装置１００と、電源スイッチ２００１やキーボード２００２が設置された本体部２０１０とを具備する。
【００３７】
図６は、液晶装置１００を適用した携帯電話機の構成を示す斜視図である。携帯電話機３０００は、複数の操作ボタン３００１およびスクロールボタン３００２と、各種の画像を表示する液晶装置１００とを備える。スクロールボタン３００２を操作することによって、液晶装置１００に表示される画面がスクロールされる。
【００３８】
図７は、液晶装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する液晶装置１００とを備える。電源スイッチ４００２を操作すると、住所録やスケジュール帳といった様々な情報が液晶装置１００に表示される。
【００３９】
なお、本発明に係る液晶装置が適用される電子機器としては、図５から図７に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤなどが挙げられる。
【図面の簡単な説明】
【００４０】
【図１】本発明の実施形態に係る液晶装置の構成を示す断面図である。
【図２】液晶装置の電気的な構成を示すブロック図である。
【図３】画素回路の構成を示す回路図である。
【図４】液晶装置の動作を説明するためのタイミングチャートである。
【図５】本発明に係る電子機器の形態（パーソナルコンピュータ）を示す斜視図である。
【図６】本発明に係る電子機器の形態（携帯電話機）を示す斜視図である。
【図７】本発明に係る電子機器の形態（携帯情報端末）を示す斜視図である。
【符号の説明】
【００４１】
１００…液晶装置、１０…第１基板、１４…対向電極、１６…検出用電極、２０…第２基板、２２…画素電極、３０…液晶、５０…駆動回路、５１…選択回路、５３…電位制御回路、５５…信号供給回路、６０…検出回路、Ｐ…画素回路、ＣＬ…液晶容量、ＣＳ…蓄積容量、ＳＷ…スイッチング素子、４１…選択線、４３…容量線、４５…信号線。
【図１】
2010107990.tif 000003
【図２】
2010107990.tif 000004
【図３】
2010107990.tif 000005
【図４】
2010107990.tif 000006
【図５】
2010107990.tif 000007
【図６】
2010107990.tif 000008
【図７】
2010107990.tif 000009
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
相対向する第１基板と第２基板との間隙に液晶を備えた液晶装置と、前記第１基板を挟んで前記液晶とは反対側に、静電容量の変化に応じて接触を検出するための検出用電極を備えたタッチパネルを搭載した液晶装置であって、
前記液晶装置は、
前記走査線と信号線に接続されたスイッチング素子と、
前記スイッチング素子に接続される画素電極と、
前記画素電極と液晶容量を形成する対向電極と、
前記画素電極と接続された第２電極と、
前記第２電極と蓄積容量を形成する第１電極と、
選択期間において前記スイッチング素子を導通させて前記画素電極と前記信号線を接続させるとともに前記選択期間の経過後に前記画素電極と前記信号線を非導通とする選択回路と、
前記液晶容量に正極性の電圧を印加する正極成書込と負極性の電圧を印加する負極性書込を交互に行うとともに、前記選択期間において前記正極性書込または負極性書込に対応したデータ電位を前記信号線に供給する信号供給回路と、
前記正極性書込における選択期間の経過後に前記容量線の電位を第１の電位に変化させ、負極性書込における選択期間の経過後に前記容量線の電位を前記第１の電位より低位の第２の電位に変化させる電位制御回路と、
前記正極性書込および負極性書込における選択期間並びに該選択期間の経過後に渡って前記対向電極の電位を所定の電位に固定する電位回路と
を具備し、
前記タッチパネルは、その検出用電極と、前記液晶装置の画素電極の間に少なくとも前記対向電極が位置するように配置され、前記対向電極をシールド電極としていることを特徴とするタッチパネルを搭載した液晶装置。
【請求項２】
前記検出用電極は、前記第１基板のうち前記液晶とは反対側の表面に形成される請求項１に記載のタッチパネルを搭載した液晶装置。
【請求項３】
前記画素電極は、前記第２基板のうち前記第１基板に対向する表面上に形成される請求項１または請求項２に記載のタッチパネルを搭載した液晶装置。
【請求項４】
請求項１から請求項３の何れかに記載のタッチパネルを搭載した液晶装置を具備する電子機器。
【手続補正３】
【補正対象書類名】明細書
【補正対象項目名】０００４
【補正方法】変更
【補正の内容】
【０００４】
以上の課題を解決するために、本発明に係るタッチパネルを搭載した液晶装置は、相対向する第１基板と第２基板との間隙に液晶を備えた液晶装置と、前記第１基板を挟んで前記液晶とは反対側に、静電容量の変化に応じて接触を検出するための検出用電極を備えたタッチパネルを搭載した液晶装置であって、前記液晶装置は、前記走査線と信号線に接続されたスイッチング素子と、前記スイッチング素子に接続される画素電極と、前記画素電極と液晶容量を形成する対向電極と、前記画素電極と接続された第２電極と、前記第２電極と蓄積容量を形成する第１電極と、選択期間において前記スイッチング素子を導通させて前記画素電極と前記信号線を接続させるとともに前記選択期間の経過後に前記画素電極と前記信号線を非導通とする選択回路と、前記液晶容量に正極性の電圧を印加する正極成書込と負極性の電圧を印加する負極性書込を交互に行うとともに、前記選択期間において前記正極性書込または負極性書込に対応したデータ電位を前記信号線に供給する信号供給回路と、前記正極性書込における選択期間の経過後に前記容量線の電位を第１の電位に変化させ、負極性書込における選択期間の経過後に前記容量線の電位を前記第１の電位より低位の第２の電位に変化させる電位制御回路と、前記正極性書込および負極性書込における選択期間並びに該選択期間の経過後に渡って前記対向電極の電位を所定の電位に固定する電位回路とを具備し、前記タッチパネルは、その検出用電極と、前記液晶装置の画素電極の間に少なくとも前記対向電極が位置するように配置され、前記対向電極をシールド電極としていることを特徴とする。
【手続補正４】
【補正対象書類名】明細書
【補正対象項目名】０００５
【補正方法】変更
【補正の内容】
【０００５】
以上の構成においては、画素電極の電位が、選択期間の経過後に第１電極の電位に応じてデータ電位を変化させた電位に設定されるから、第１電極の電位が固定された構成と比較して、データ電位に必要となる変動幅が低減される。したがって、データ電位の変動に起因して検出用電極に発生するノイズを抑制することができる。さらに、所定の電圧に維持される対向電極が、画素電極と検出用電極の間に位置するように、タッチパネルを液晶装置上に配置しているので、対向電極を、画素電極の電位を設定する信号（例えば選択信号Ｙ[i]やデータ信号Ｘ[j]）による検出用電極への影響を抑制するためのシールドとして機能させることができ、検出用電極のノイズをさらに有効に抑制できる。
【手続補正５】
【補正対象書類名】明細書
【補正対象項目名】０００７
【補正方法】変更
【補正の内容】
【０００７】
本発明の好適な態様において、画素電極は、第２基板のうち第１基板に対向する表面上に形成されていてもよい。
【手続補正６】
【補正対象書類名】明細書
【補正対象項目名】０００８
【補正方法】変更
【補正の内容】
【０００８】
本発明の好適な態様において、本発明のタッチパネルを搭載した液晶装置は、パーソナルコンピュータや携帯電話機といった各種の電子機器に採用される。